(57)【要約】【課題】未燃燃料がタール状となって排気絞り弁に固着することを防止できるエンジンを提供する。【解決手段】ＤＰＦ３２と、排気スロットル３３と、排気スロットル３３を制御して排気ガス温度を上昇させＤＰＦ３２を再生するＥＣＵ５０と、冷却水温度センサ５４と、を備えるエンジンであって、ＥＣＵ５０は、エンジンの運転領域がアイドル状態にある時には、冷却水温度Ｔｗが所定温度以上であれば、排気スロットル３３を可変制御し、冷却水温度Ｔｗが所定温度未満であれば、排気スロットル３３を全開とする。【選択図】図１
2015190395.tif 000002
【特許請求の範囲】
【請求項１】
排気ガス浄化装置と、排気絞り弁と、該排気絞り弁を制御して排気ガス温度を上昇させて該排気ガス浄化装置を再生する制御手段と、冷却水温度検出手段と、を備えるエンジンであって、
前記制御手段は、エンジンの運転領域がアイドル状態にある場合には、冷却水温度が所定温度以上であれば、前記排気絞り弁を可変制御し、冷却水温度が所定温度未満であれば、前記排気絞り弁を全開とする、
エンジン。
【請求項２】
請求項１記載のエンジンであって、
吸気温度を検出する吸気温度検出手段を備え、
前記制御手段は、前記排気絞り弁を可変制御する場合には、吸気温度に比例して、排気絞り弁の開度が大きくなるように制御する、
エンジン。
【発明の詳細な説明】
【技術分野】
【０００１】
本発明は、排気ガス浄化装置を再生するエンジンの技術に関する。
【背景技術】
【０００２】
従来、エンジンの排気ガス浄化装置としては、ディーゼル微粒子捕集フィルター（Ｄｉｅｓｅｌ  ｐａｒｔｉｃｕｌａｔｅ  ｆｉｌｔｅｒ、以下ではＤＰＦ）が知られている。ＤＰＦでは、ディーゼルエンジンの排気ガス中の粒子状物質（Ｐａｒｔｉｃｕｌａｔｅ  Ｍａｔｔｅｒ、以下ではＰＭ）を捕捉して、排気ガスからＰＭを軽減させている（例えば、特許文献１）。
【０００３】
また、ＤＰＦを備えるエンジンでは、ＤＰＦに堆積したＰＭを燃焼する再生運転の一つとして、排気絞り弁を調整して排気ガス温度を昇温させ、ＤＰＦに堆積したＰＭを燃焼させる再生運転が知られている。
【０００４】
排気絞り弁を調整してＤＰＦに堆積したＰＭを燃焼除去する再生運転では、アイドル運転状態にて冷却水温度が低い場合でも、排気ガス温度を昇温すべく、排気弁絞りを行なっていた。しかし、アイドル運転状態にて冷却水温度が低い場合に、排気ガス温度を昇温すべく、排気弁絞りを行なうと、未燃燃料がタール状となって排気絞り弁に固着し、その後の排気弁の挙動に悪影響を及ぼしていた。
【先行技術文献】
【特許文献】
【０００５】
【特許文献１】特開２００５―０７６６０４号公報
【発明の概要】
【発明が解決しようとする課題】
【０００６】
本発明の解決しようとする課題は、未燃燃料がタール状となって排気絞り弁に固着することを防止できるエンジンを提供することである。
【課題を解決するための手段】
【０００７】
本発明の解決しようとする課題は以上の如くであり、次にこの課題を解決するための手段を説明する。
【０００８】
即ち、請求項１においては、排気ガス浄化装置と、排気絞り弁と、該排気絞り弁を制御して排気ガス温度を上昇させて該排気ガス浄化装置を再生する制御手段と、冷却水温度検出手段と、を備えるエンジンであって、前記制御手段は、エンジンの運転領域がアイドル状態にある場合には、冷却水温度が所定温度以上であれば、前記排気絞り弁を可変制御し、冷却水温度が所定温度未満であれば、前記排気絞り弁を全開とするものである。
【０００９】
請求項２においては、請求項１記載のエンジンであって、吸気温度を検出する吸気温度検出手段を備え、前記制御手段は、前記排気絞り弁を可変制御する場合には、吸気温度に比例して、排気絞り弁の開度が大きくなるように制御するものである。
【発明の効果】
【００１０】
本発明のエンジンによれば、未燃燃料がタール状となって排気絞り弁に固着することを防止できる。
【図面の簡単な説明】
【００１１】
【図１】エンジンの構成を示す模式図。
【図２】再生制御の流れを示すフロー図。
【図３】再生制御の作用を示すグラフ図。
【発明を実施するための形態】
【００１２】
図１を用いて、エンジン１００について説明する。
なお、図１では、エンジン１００の構成を模式図によって表している。また、図１の破線は、電気信号線を示している。
【００１３】
エンジン１００は、エンジン本体１０と、吸気経路２０と、排気経路３０と、多段噴射装置４０と、Ｅｎｇｉｎｅ  Ｃｏｎｔｒｏｌ  Ｕｎｉｔ（以下ではＥＣＵ）５０と、を具備している。なお、エンジン１００は、例えば作業車両に搭載されているものする。以下では、作業車両に搭乗して作業車両を操縦する者を作業者とする。
【００１４】
エンジン本体１０は、直列６気筒ディーゼルエンジンであって、気筒１１・・・・１１と、吸気マニホールド１２と、排気マニホールド１３と、を具備している。
【００１５】
吸気経路２０は、吸気マニホールド１２に接続されている。吸気経路２０は、吸気管２１と、空気中に含まれる塵挨等を除去するエアクリーナ２２と、吸気経路の吸気ガス温度Ｔｂを検出する吸気温度センサ５２と、を具備している。
【００１６】
排気経路３０は、排気マニホールド１３に接続されている。排気経路３０は、排気管３１と、ディーゼル微粒子捕集フィルター（Ｄｉｅｓｅｌ  ｐａｒｔｉｃｕｌａｔｅ  ｆｉｌｔｅｒ、以下ではＤＰＦ）３２と、排気絞り弁としての排気スロットル３３と、排気経路の排気ガス温度Ｔｂを検出する排気ガス温度センサ５３と、を具備している。
【００１７】
排気スロットル３３、排気ガス温度センサ５３及びＤＰＦ３２は、エンジン本体１０から排気尾管に向かって、排気スロットル３３、排気ガス温度センサ５３、ＤＰＦ３２の順で配置されている。
【００１８】
ＤＰＦ３２は、ディーゼルエンジンの排気ガス中の粒子状物質（Ｐａｒｔｉｃｕｌａｔｅ  Ｍａｔｔｅｒ、以下ではＰＭ）を捕捉して、排気ガスからＰＭを軽減させるフィルターである。排気ガスからＤＰＦ３２によって捕捉されたＰＭは、排気ガスによって燃焼される。なお、ＤＰＦ３２には、二酸化窒素を生成する酸化触媒が内蔵されている。
【００１９】
多段噴射装置４０は、サプライポンプ（図示略）で高圧にした燃料をコモンレール４２内に蓄え、ＥＣＵ５０によってインジェクタ４１・・・・４１から気筒１１・・・・１１に適切な時期に適切な量の燃料を噴射する装置である。
【００２０】
ＥＣＵ５０は、多段噴射装置４０によって適切な時期に適切な量の燃料をインジェクタ４１・・・・４１から気筒１１・・・・１１に噴射する機能を有している（燃料噴射制御）。また、ＥＣＵ５０は、排気スロットル３３の開度を調整し、排気ガス温度を上昇させ、ＤＰＦ３２に堆積したＰＭを燃焼除去する機能を有している（再生運転）。
【００２１】
ＥＣＵ５０は、排気スロットル３３と、吸気温度センサ５２と、排気ガス温度センサ５３と、エンジン１００の冷却水の冷却水温度Ｔｗを検出する冷却水温度センサ５４と、燃料噴射装置４０のインジェクタ４１・・・・４１と、に接続されている。
【００２２】
図２を用いて、再生制御Ｓ１００の流れについて説明する。
なお、図２では、再生制御Ｓ１００の流れをフローチャートによって表している。
【００２３】
ステップＳ１１０において、エンジン１００が始動され、エンジン１００がアイドル状態にて運転される。
【００２４】
ステップＳ１２０において、ＥＣＵ５０は、再生要求があるかどうか確認する。ここで、再生要求とは、ＰＭの堆積量又はタイマ等の再生運転に移行する条件が成立していることである。ステップＳ１２０では、再生要求が無い場合はステップＳ２２０へ移行し、再生要求がある場合はステップＳ１３０へ移行する。
【００２５】
ステップＳ１３０において、ＥＣＵ５０は、再生運転モードに移行する。
ステップＳ１４０において、ＥＣＵ５０は、吸気ガス温度Ｔｂが−２０℃より低いかどうかを確認する。ステップＳ１４０では、吸気ガス温度Ｔｂが−２０℃より低い場合はステップＳ１６０に移行し、吸気ガス温度Ｔｂが−２０℃以上の場合はステップＳ１５０に移行する。
【００２６】
ステップＳ１５０において、ＥＣＵ５０は、吸気ガス温度Ｔｂが−２０℃〜２５℃の間にあるかどうかを確認する。ステップＳ１５０では、吸気ガス温度Ｔｂが−２０℃〜２５℃の間にある場合はステップＳ１７０に移行し、吸気ガス温度Ｔｂが−２０℃〜２５℃の間にない場合はステップＳ１８０に移行する。
【００２７】
ステップＳ１６０において、ＥＣＵ５０は、以降の再生制御において排気スロットル３３の開閉制御についてマップ１を選択するものとする。
ステップＳ１７０において、ＥＣＵ５０は、以降の再生制御において排気スロットル３３の開閉制御についてマップ２を選択するものとする。
ステップＳ１８０において、ＥＣＵ５０は、以降の再生制御において排気スロットル３３の開閉制御についてマップ３を選択するものとする。
【００２８】
ここで、マップ１〜３は、再生運転時において、エンジン回転数、燃料噴射量等のエンジン運転状態から最適な排気スロットル開度を算出するものであって、予めＥＣＵ５０に設定されている。
【００２９】
また、マップ３は、マップ２と比較して、同じエンジン運転状態であっても排気スロットル開度が大きくなるように設定され、マップ２は、マップ１と比較して、同じエンジン運転状態であっても排気スロットル開度が大きくなるように設定されている。
【００３０】
ステップＳ１９０において、ＥＣＵ５０は、冷却水温度Ｔｗが６０℃以上かどうかを確認する。ステップＳ１４０では、冷却水温度Ｔｗが６０℃以上の場合はステップＳ２１０に移行し、冷却水温度Ｔｗが６０℃未満の場合はステップＳ２００に移行する。
【００３１】
ステップＳ２００において、ＥＣＵ５０は、排気スロットル３３を全開として固定し、ステップＳ１３０に移行する。
【００３２】
ステップＳ２１０において、ＥＣＵ５０は、再生運転を実行する。より具体的には、排気スロットル３３をマップ１〜３に基づいて可変制御し、排気ガス温度を上昇させ、ＤＰＦ３２に堆積したＰＭを燃焼除去する。
【００３３】
ステップＳ２２０において、ＥＣＵ５０は、ＤＰＦ３２の再生が完了したかどうかを確認する。ここで、再生完了とは、推定したＤＰＦ３２のＰＭの堆積量が所定堆積量以下になった、或いは、再生運転を実行して所定時間経過した等の通常運転に移行する条件が成立していることである。
【００３４】
ステップＳ２２０では、ＤＰＦ３２の再生が完了した場合にはステップＳ２３０に移行し、ＤＰＦ３２の再生が完了していない場合はステップＳ１２０に移行する。
ステップＳ２３０において、ＥＣＵ５０は、通常運転モードに移行する。
【００３５】
図３を用いて、再生制御の作用について説明する。
なお、図３では、エンジン負荷、冷却水温度、排気スロットル開度を時系列によってグラフで表している。
【００３６】
以下では、寒冷地において、エンジン１００の負荷が減った、具体的にはクラッチが断絶されてエンジン１００がアイドリング状態になった状況について説明する。例えば、ｔ１までにおいて、エンジン１００が高負荷の通常運転を行っており、ｔ１において、エンジン１００がアイドル状態になったものとする。
【００３７】
ｔ１からｔ２までにおいて、エンジン１００がアイドル状態であって、再生要求があるものとする。このとき、冷却水温度Ｔｗが６０℃以上であるため、エンジン１００では、再生運転が行われ、排気スロットル３３がマップ１〜３のいずれかに基づいて開度制御される。このとき、外気の影響もあって、冷却水温度Ｔｗは徐々に低下する。
【００３８】
ｔ２において、冷却水温度Ｔｗが６０℃未満となる。
ｔ２からｔ３までにおいて、エンジン１００がアイドル状態であって、再生要求があるものとする。このとき、冷却水温度Ｔｗが６０℃未満であるため、エンジン１００では、再生が行われず、排気スロットル３３が全開となって固定される。
【００３９】
エンジン１００の効果について説明する。
エンジン１００によれば、未燃燃料がタール状となって排気スロットル３３に固着することを防止できる。
【００４０】
排気スロットルを調整してＤＰＦに堆積したＰＭを燃焼除去する再生運転では、アイドル運転状態にて冷却水温度が低い場合でも、排気ガス温度を昇温すべく、排気スロットルを行なっていた。しかし、冷却水温度Ｔｗが低い場合に、排気ガス温度を昇温すべく、排気弁スロットルを絞ると、未燃燃料がタール状となって排気スロットルに固着し、その後の排気スロットルの挙動に悪影響を及ぼしていた。
【００４１】
エンジン１００によれば、エンジン運転領域がアイドル状態にある場合には、冷却水温度Ｔｗが所定温度以上であれば、排気スロットル３３を可変制御し、冷却水温度が所定温度未満であれば、前記排気絞り弁を全開とする。そのため、未燃燃料がタール状となって排気スロットル３３に固着することを防止できる。
【符号の説明】
【００４２】
１０    エンジン本体
２０    吸気経路
３０    排気経路
３２    ＤＰＦ（排気ガス浄化装置）
３３    排気スロットル
４０    多段燃料噴射装置
５０    ＥＣＵ（制御装置）
５２    吸気温度センサ
５３    排気ガス温度センサ
５４    冷却水温度センサ
１００  エンジン
【図１】
2015190395.tif 000003
【図２】
2015190395.tif 000004
【図３】
2015190395.tif 000005